(57)【要約】【課題】アタッチメント側から小口隠し部材を逃がすことができる建具を提供すること。【解決手段】横すべり出し窓１は、窓枠２と、障子３と、操作装置５とを備える。操作装置５は、操作ユニット５１と、操作ユニット５１の操作を障子３に開閉力として伝達する開閉機構とを備える。操作ユニット５１は、下枠２２に沿って配置されたアタッチメント５６に取り付けられる。縦枠２３には、小口隠し部材６０が取り付けられる。小口隠し部材６０は、縦枠２３に沿って配置された小口隠し本体部６１と、小口隠し本体部６１に連続した小口カバー片部６３とを有する。小口カバー片部６３は、アタッチメント５６の長手方向における端部を室内側から隠して配置される。小口隠し部材６０は、小口隠し本体部６１に対して小口カバー片部６３を変位可能とする可撓性を有した軟質樹脂部７０と、軟質樹脂部７０を除く部分を構成した硬質樹脂部８０とを有している。【選択図】図４
2018159227.tif 000002
【特許請求の範囲】
【請求項１】
上枠、下枠および左右の縦枠を枠組みした枠体と、前記枠体内に開閉可能に配置された開閉パネルと、前記開閉パネルを開閉操作可能な操作装置とを備え、
前記操作装置は、操作ユニットと、前記操作ユニットの操作を前記開閉パネルに開閉力として伝達する開閉機構とを備え、
前記操作ユニットは、前記下枠に沿って配置されたアタッチメントに取り付けられ、
前記左右の縦枠には、前記アタッチメントの小口を隠す小口隠し部材がそれぞれ取り付けられ、
前記小口隠し部材は、前記左右の縦枠に沿って配置された小口隠し本体部と、前記小口隠し本体部に連続した小口カバー片部とを有し、
前記小口カバー片部は、前記アタッチメントの長手方向における端部を前記操作ユニットがある側から隠して配置され、
前記小口隠し部材は、前記小口隠し本体部に対して前記小口カバー片部を変位可能とする可撓性を有した軟質樹脂部と、前記軟質樹脂部を除く部分を構成した硬質樹脂部とを有している
ことを特徴とする建具。
【請求項２】
請求項１に記載の建具において、
前記枠体の見込み方向において前記開閉パネルと並設された固定パネルを前記枠体内に備え、
前記固定パネルは、前記左右の縦枠側に向かって出没可能な係合部材を備え、
前記小口隠し部材の前記硬質樹脂部には、前記係合部材が係合される
ことを特徴とする建具。
【請求項３】
請求項２に記載の建具において、
前記アタッチメントには、前記固定パネルが載置されるレールが形成され、
前記小口隠し本体部には、前記小口カバー片部側で開口した外れ止め用の溝形成部が形成され、
前記溝形成部によって形成された溝部には、前記係合部材が配置される
ことを特徴とする建具。
【請求項４】
請求項１から請求項３のいずれか一項に記載の建具において、
前記小口隠し本体部および前記小口カバー片部は、互いに連続した前記硬質樹脂部によって構成され、
前記硬質樹脂部のうち前記小口隠し本体部および前記小口カバー片部の連続部分よりも上方に前記軟質樹脂部が配置されている
ことを特徴とする建具。
【発明の詳細な説明】
【技術分野】
【０００１】
本発明は、障子等の開閉パネルを操作可能な操作装置を備えた横すべり出し窓などの建具に関する。
【背景技術】
【０００２】
従来、四周枠組みした枠体と、枠体内に開閉可能に配置された障子とを備え、障子を開閉操作するオペレータハンドルを枠体の室内側に設けた建具が知られている（特許文献１参照）。
オペレータハンドルは、枠体の下枠に沿った取付部材（アタッチメント）に取り付けられており、アタッチメントの長手方向における小口は、枠体の左右の縦枠に取り付けられた縦枠部品（アタッチメントの小口隠し部材）の支持カバー部によって室内側から隠されている。
【先行技術文献】
【特許文献】
【０００３】
【特許文献１】特開２０１６−１６０６２０号公報
【発明の概要】
【発明が解決しようとする課題】
【０００４】
ところで、特許文献１に記載の建具では、オペレータハンドルに下方に向かう強い力が加えられた場合、オペレータハンドルが取り付けられたアタッチメントに室内側へ倒れる方向の撓みが生じ、当該アタッチメントが小口隠し部材の支持カバー部に押し付けられるおそれがある。
【０００５】
特許文献１に記載の建具では、オペレータハンドルは、アタッチメントの長手方向における略中間位置に配置されているが、例えばオペレータハンドル等の操作ユニットがアタッチメントの長手方向における端部側に配置された場合には、アタッチメントの当該端部で前述した室内側へ倒れる方向の撓みが生じ、当該アタッチメントが小口隠し部材の支持カバー部に強い力で押し付けられ、小口隠し部材が割れるおそれがある。
【０００６】
本発明の目的は、アタッチメント側から小口隠し部材を逃がすことができる建具を提供することにある。
【課題を解決するための手段】
【０００７】
本発明の建具は、上枠、下枠および左右の縦枠を枠組みした枠体と、枠体内に開閉可能に配置された開閉パネルと、前記開閉パネルを開閉操作可能な操作装置とを備え、前記操作装置は、前記操作ユニットと、前記操作ユニットの操作を前記開閉パネルに開閉力として伝達する開閉機構とを備え、前記操作ユニットは、前記下枠に沿って配置されたアタッチメントに取り付けられ、前記左右の縦枠には、前記アタッチメントの小口を隠す小口隠し部材がそれぞれ取り付けられ、前記小口隠し部材は、前記左右の縦枠に沿って配置された小口隠し本体部と、前記小口隠し本体部に連続した小口カバー片部とを有し、前記小口カバー片部は、前記アタッチメントの長手方向における端部を前記操作ユニットがある側から隠して配置され、前記小口隠し部材は、前記小口隠し本体部に対して前記小口カバー片部を変位可能とする可撓性を有した軟質樹脂部と、前記軟質樹脂部を除く部分を構成した硬質樹脂部とを有していることを特徴とする。
【０００８】
本発明の建具によれば、例えば操作ユニットに子供がぶら下がる等によって当該操作ユニットに下方に向かう強い力が加えられた場合、操作ユニットが取り付けられたアタッチメントには、当該操作ユニットがある側に倒れる方向の撓みが生じ、このように撓みを生じたアタッチメントが小口隠し部材の小口カバー片部に押し付けられ得るが、小口隠し部材の軟質樹脂部が撓み変形することによって小口カバー片部が変位するので、小口カバー片部をアタッチメントの押し付けから逃がすことができ、小口隠し部材に過大な負荷がかかることを回避できる。
【０００９】
本発明の建具では、前記枠体の見込み方向において前記開閉パネルと並設された固定パネルを前記枠体内に備え、前記固定パネルは、前記左右の縦枠側に向かって出没可能な係合部材を備え、前記小口隠し部材の前記硬質樹脂部には、前記係合部材が係合されることが好ましい。
このような構成によれば、前述した作用効果を発揮できる小口隠し部材の硬質樹脂部に係合部材が係合することで、固定パネルの外れ止めをも行うことができる。
【００１０】
本発明の建具では、前記アタッチメントには、前記固定パネルが載置されるレールが形成され、前記小口隠し本体部には、前記小口カバー片部側で開口した外れ止め用の溝形成部が形成され、前記溝形成部によって形成された溝部には、前記係合部材が配置されることが好ましい。
このような構成によれば、固定パネルが持ち上げられてレールから外されようとされても、係合部材が溝形成部に当たることで、固定パネルの外れ止めを行うことができる。
さらに、操作ユニットに下方に向かう強い力が加えられてアタッチメントが操作ユニット側に倒れるように撓んだ場合には、アタッチメントのレールに載置された固定パネルの係合部材が溝形成部の開口側へ移動されようとするが、この移動を許容できる。このため、小口隠し部材を固定パネルの外れ止めと兼用しても過度の負荷がかかることがない。
【００１１】
本発明の建具では、前記小口隠し本体部および前記小口カバー片部は、互いに連続した前記硬質樹脂部によって構成され、前記硬質樹脂部のうち前記小口隠し本体部および前記小口カバー片部の連続部分よりも上方に前記軟質樹脂部が配置されていることが好ましい。
このような構成によれば、小口隠し部材の硬質樹脂部の全体が連続しているので、当該硬質樹脂部が複数箇所に分けて構成される場合と比べ、小口隠し部材を容易に成形できる。
また、操作ユニットがある側にアタッチメントが倒れるように撓み、このアタッチメントによって小口隠し部材の小口カバー片部が前記倒れる方向に押し付けられても、軟質樹脂部よりも下方に位置する硬質樹脂部の前記連続部分には大きな力は加わらないので、当該連続部分に割れなどは生じ得ない。
さらに、硬質樹脂材料によって小口カバー片部を構成することで、当該小口カバー片部が軟質樹脂材料によって構成される場合と比べ、小口カバー片部の色の選択幅を広げることができ、枠体などと統一した色に容易に設定できる。
【発明の効果】
【００１２】
本発明の建具によれば、アタッチメント側から小口隠し部材を逃がすことができる建具を提供できる。
【図面の簡単な説明】
【００１３】
【図１】本発明の実施形態に係る横すべり出し窓を示す斜視図。
【図２】前記実施形態に係る横すべり出し窓を示す縦断面図。
【図３】前記実施形態に係る横すべり出し窓を示す横断面図。
【図４】前記実施形態に係る横すべり出し窓の要部を示す縦断面図。
【図５】前記実施形態に係る横すべり出し窓の要部を示す斜視図。
【図６】前記実施形態に係る横すべり出し窓の要部を示す横断面図。
【図７】前記実施形態に係る横すべり出し窓の小口隠し部材を示す説明図。
【発明を実施するための形態】
【００１４】
［本実施形態の構成］
以下、本発明の実施形態を図面に基づいて説明する。
図１〜６において、本実施形態に係る建具としての高所用の横すべり出し窓１は、窓枠２（枠体）と、窓枠２に開閉可能に連結された開閉パネルとしての障子３（図２，３参照）と、障子３よりも室内側に並設して窓枠２内に配置された固定パネルとしての網戸４（図２，３参照）と、窓枠２に取り付けられた操作装置５とを備えている。なお、図１においては、障子３および網戸４の図示を省略している。
ここで、図１には、互いに直交するＸ、Ｙ、Ｚ軸方向を示しており、本実施形態では、Ｘ軸方向は後述する左右の縦枠２３，２４の見付け方向に沿っており、Ｙ軸方向は後述する上枠２１および下枠２２の見付け方向に沿っており、Ｚ軸方向は横すべり出し窓１の見込み方向に沿っている。
【００１５】
窓枠２は、図２，３に示すように、樹脂製の上枠２１、下枠２２および左右の縦枠２３，２４が枠組みされて構成されている。上枠２１には、網戸取付用のレール２１１が形成されている。下枠２２には、後述するアタッチメント５６が取り付けられており、このアタッチメント５６に網戸取付用のレール５６５が形成されている。縦枠２３，２４は、すべり出しヒンジ６によって後述する障子３の縦框３３，３４に連結されている。縦枠２３，２４の見付け片部２５１には、上下方向に沿った突条２５２と、後述する小口隠し部材６０が取り付けられる取付孔２５３とがそれぞれ形成されている（図５，６参照）。
障子３は、樹脂製の上框３１、下框３２、左右の縦框３３，３４および面材３５を框組みして構成されている。面材３５は、複層ガラスパネルによって構成されているが、単層ガラスパネルであってもよい。
網戸４は、アルミ押出形材によって形成された上框４１、下框４２および左右の縦框４３，４４と網材４５とによって框組みされている。上框４１および下框４２は、レール２１１，５６５に係合しており、左右の縦框４３，４４は、左右の縦枠２３，２４に隣接して配置されている。このように網戸４は、窓枠２内に嵌め込まれている。
また、下框４２には、その長手方向に沿って出没可能な係合部材４２１を備えており、この係合部材４２１は突出状態で後述する小口隠し部材６０の溝形成部６２によって形成された溝部に配置される。
【００１６】
操作装置５は、操作ユニット５１と、操作ユニット５１の操作が伝達される開閉機構５２とを備えており、操作ユニット５１は、樹脂製のアタッチメント５６によって窓枠２に取り付けられている。
開閉機構５２は、操作ユニット５１およびすべり出しヒンジ６に連結されており、操作ユニット５１の回転操作をすべり出しヒンジ６に伝達して障子３をすべり出し方向において開閉させる構成となっている。
【００１７】
操作ユニット５１は、操作用のボールチェーン５３と、ボールチェーン５３が回転走行可能に連結したユニバーサルジョイント式の回転軸５４と、回転軸５４を支えるブラケット５５と、回転軸５４をアタッチメント５６に取り付けた取付部材５７とを備えている。
この操作ユニット５１は、引張り操作によってボールチェーン５３が回転走行すると、この回転走行が回転軸５４に伝達されて回転し、この回転が前述した開閉機構５２に障子３の開放力として伝達される。一方、引張り操作によってボールチェーン５３が逆方向に回転走行すると、この回転走行が回転軸５４に伝達されて逆方向に回転し、この回転を前述した開閉機構５２に障子３の閉鎖力として伝達される。
【００１８】
アタッチメント５６は、図１に示すように下枠２２の長手方向に沿って配置されている。アタッチメント５６は、図４，５に示すように、上片部５６１と、上片部５６１に連続した見付け片部５６２と、見付け片部５６２に連続した下片部５６３とを有している。上片部５６１および下片部５６３は、見付け片部５６２から室外側に延出している。
上片部５６１には、網戸４が係合する前述したレール５６５が形成されている。見付け片部５６２の長手方向における一端側には、回転軸５４が挿通された孔５６６（図５参照）が形成されており、この孔５６６を形成した周囲部分に操作ユニット５１の取付部材５７が取り付けられている。見付け片部５６２の下端部には、下枠２２の室外側上端部に形成された突部２２１が配置される溝部５６７が形成されている。下片部５６３は、見付け片部５６２から室外側に向かって下方に傾斜した部分を有しており、その先端で下枠２２に当接している。また、下片部５６３のうち前記傾斜した部分であってその先端から室内側に間隔を隔てた位置には、下枠２２に当接した脚部５６４が形成されている。
【００１９】
［小口隠し部材］
左右の縦枠２３，２４には、網戸４の小口隠し部材６０がそれぞれ取り付けられている。小口隠し部材６０は、図７に示すように、上縁部６１１、下縁部６１２および前後の縦縁部６１３，６１４を有した縦長板状の小口隠し本体部６１と、小口隠し本体部６１の一方の縦縁部６１４に形成された外れ止め用の溝形成部６２と、小口隠し本体部６１の縦縁部６１４であって溝形成部６２よりも下側部分に連続した小口カバー片部６３と、小口隠し本体部６１の表面６１Ａ側であって下縁部６１２から突出した持上り抑制部６４と、小口隠し本体部６１の裏面６１Ｂに形成された取付部６５とを有している。
なお、説明の便宜上、図７には、縦枠２３，２４への取付状態における小口隠し部材６０のＸ、Ｙ、Ｚ軸方向を矢印で示している。
【００２０】
小口隠し本体部６１は、図５に示すようにアタッチメント５６の上下方向における寸法よりも長い寸法に形成されており、溝形成部６２は、小口隠し部材６０が縦枠２３に取り付けられた状態でアタッチメント５６よりも上方に配置される。
【００２１】
溝形成部６２は、図７（Ｂ）に示すように、溝上縁６２１、溝下縁６２２および溝底縁６２３によって構成されており、小口隠し本体部６１の幅方向において縦縁部６１４から縦縁部６１３側に凹んで形成されている。このため、溝形成部６２は縦縁部６１４側で開口されている。この溝形成部６２によって形成された溝部には、前述したように網戸４の係合部材４２１が配置される。
【００２２】
小口カバー片部６３は、縦縁部６１４に沿って上下方向に延びているとともに、小口隠し本体部６１の厚さ方向において図７（Ａ）に示すように表面６１Ａ側から突出して形成されている。小口カバー片部６３は、小口隠し本体部６１の下縁部６１２よりも下方に延びている。この小口カバー片部６３は、小口隠し部材６０が縦枠２３（２４）に取り付けられた状態では、アタッチメント５６の小口を室内側（操作ユニット５１がある側）から隠す位置に配置される。
【００２３】
持上り抑制部６４は、下縁部６１２に沿った基片部６４１と、基片部６４１から立ち上げられた立上げ片部６４２とを有している。図４に示す小口隠し部材６０の取付状態では、基片部６４１は下枠２２の上面に当接し、かつ、立上げ片部６４２はアタッチメント５６の下片部５６３に当接し、下枠２２およびアタッチメント５６間に挟み込まれた状態となる。このため、小口隠し部材６０自体の上方への持ち上がりは抑制される。
【００２４】
取付部６５は、小口隠し本体部６１の裏面６１Ｂから突出した狭幅基部６５１と、狭幅基部６５１から図７（Ｂ）において左右方向に突出した広幅片部６５２とを有している。
ここで、縦枠２３，２４の取付孔２５３は、広幅孔部と、この広幅孔部の下側に連続した狭幅孔部とによって構成されており、先ず広幅孔部に取付部６５が挿入され、次に、小口隠し部材６０が下方に移動されて狭幅孔部に狭幅基部６５１が配置される。この状態では、小口隠し本体部６１の裏面６１Ｂが見付け片部２５１の外面に当接するとともに、広幅片部６５２が見付け片部２５１の内面に当接するので、小口隠し部材６０が縦枠２３（２４）に取り付けられた状態となる。なお、この取付状態では、縦縁部６１４は突条２５２に沿って配置される。
【００２５】
以上の小口隠し部材６０では、下框４２の係合部材４２１が縦枠２３（２４）に向かって突出して溝形成部６２によって形成された溝部に配置された状態になると、網戸４が上方に持ち上げられようとしても、係合部材４２１の上面が溝形成部６２の溝上縁６２１に当たるので、網戸４の上方への持ち上げが抑制され、網戸４が外れ止めされる。
【００２６】
［小口隠し部材の構成材料］
小口隠し部材６０は、図７（Ｂ）に示すように、小口隠し本体部６１に対して小口カバー片部６３を変位可能とする可撓性を有した軟質樹脂部７０と、軟質樹脂部７０を除く部分全体を構成した硬質樹脂部８０とを有している。
軟質樹脂部７０は、ＴＰＥ（Ｔｈｅｒｍｏ  Ｐｌａｓｔｉｃ  Ｅｌａｓｔｏｍｅｒ、熱可塑性エラストマー）等の軟質樹脂材料によって形成されている。
硬質樹脂部８０は、ＡＳＡ（ａｃｒｙｌａｔｅ  ｓｔｙｒｅｎｅ  ａｃｒｙｌｏｎｉｔｒｉｌｅ）等の硬質樹脂材料によって形成されている。
【００２７】
本実施形態では、軟質樹脂部７０は、小口隠し本体部６１および小口カバー片部６３が連続した連続部分であって溝形成部６２よりも下方に配置されている。この軟質樹脂部７０は小口カバー片部６３に沿って延びている。
小口隠し本体部６１および小口カバー片部６３が連続した連続部分のうち軟質樹脂部７０よりも下方の部分は硬質樹脂部８０によって構成されている。このため、小口隠し本体部６１および小口カバー片部６３は硬質樹脂部８０によって連続して形成されている。
【００２８】
［本実施形態の作用］
以上の横すべり出し窓１では、ボールチェーン５３の引張り操作によって開閉機構５２を介して障子３をすべり出し方向に開放および閉鎖動作させる。
ここで例えば、操作ユニット５１のボールチェーン５３に子供がぶら下がったりして、操作ユニット５１に下方に向かう強い力が加えられた場合、操作ユニット５１が取り付けられたアタッチメント５６の見付け片部５６２には、室内側に倒れるように撓みが生じる（図４に二点鎖線で示すアタッチメント５６を参照）。
このようにアタッチメント５６が撓むと、当該アタッチメント５６が小口隠し部材６０の小口カバー片部６３に当たり、室内側に倒れる方向に押し付けることとなる。このとき、小口隠し部材６０の軟質樹脂部７０は前記アタッチメント５６の押し付けに応じて撓み変形して、小口カバー片部６３を図６および図７Ｂに二点鎖線で示す位置に逃がす。このように逃げ変形するため、小口隠し部材６０に割れなどが生じる程の負荷がかかることがない。
なお、操作ユニット５１に加えられた下方に向かう強い力がなくなった場合、アタッチメント５６の撓みがなくなって元の形状に復元し、軟質樹脂部７０も元の形状に復元して小口カバー片部６３を所定位置に復帰させる。
【００２９】
［本実施形態の効果］
（１）前記実施形態では、横すべり出し窓１は、上枠２１、下枠２２および左右の縦枠２３，２４を枠組みした窓枠２と、窓枠２内に開閉可能に配置された障子３と、障子３を開閉操作可能な操作装置５とを備え、操作装置５は、操作ユニット５１と、操作ユニット５１の回転操作を障子３に開閉力として伝達する開閉機構５２とを備え、操作ユニット５１は、下枠２２に沿って配置されたアタッチメント５６に取り付けられ、左右の縦枠２３，２４には、アタッチメント５６の小口を隠す小口隠し部材６０がそれぞれ取り付けられ、小口隠し部材６０は、左右の縦枠２３，２４に沿って配置された小口隠し本体部６１と、小口隠し本体部６１に連続した小口カバー片部６３とを有し、小口カバー片部６３は、アタッチメント５６の長手方向における端部（小口端部）を操作ユニット５１がある側（室内側）から隠して配置され、小口隠し部材６０は、小口隠し本体部６１に対して小口カバー片部６３を変位可能とする可撓性を有した軟質樹脂部７０と、軟質樹脂部７０を除く部分を構成した硬質樹脂部８０とを有している。
上記構成を有するため、例えば操作ユニット５１に子供がぶら下がる等によって下方に向かう強い力が加えられた場合、操作ユニット５１が取り付けられたアタッチメント５６には、当該操作ユニット５１がある側に倒れる方向の撓みが生じ、このように撓みを生じたアタッチメント５６が小口隠し部材６０の小口カバー片部６３に押し付けられ得るが、小口隠し部材６０の軟質樹脂部７０が撓み変形することによって小口カバー片部６３が変位するので、小口カバー片部６３をアタッチメント５６の押し付けから逃がすことができ、小口隠し部材６０に過大な負荷がかかることを回避できる。
（２）窓枠２の見込み方向において障子３と並設された網戸４を窓枠２内に備え、網戸４は、左右の縦枠２３，２４側に向かって出没可能な係合部材４２１を備え、小口隠し部材６０の硬質樹脂部８０には、係合部材４２１が係合される。
このため、前述した作用効果を発揮できる小口隠し部材６０の硬質樹脂部８０に係合部材４２１が係合することで、網戸４の外れ止めをも行うことができる。
（３）アタッチメント５６には、網戸４が載置されるレール５６５が形成され、小口隠し本体部６１には、小口カバー片部６３側で開口した外れ止め用の溝形成部６２が形成され、溝形成部６２によって形成された溝部には、係合部材４２１が配置される。
このため、網戸４が持ち上げられてレール５６５から外されようとされても、係合部材４２１が溝形成部６２に当たることで、網戸４の外れ止めを行うことができる。
さらに、操作ユニット５１に下方に向かう強い力が加えられてアタッチメント５６が操作ユニット５１側に倒れるように撓んだ場合には、アタッチメント５６のレール５６５に載置された網戸４の係合部材４２１が溝形成部６２の開口側へ移動されようとするが、この移動を許容できる。このため、小口隠し部材６０を網戸４の外れ止めと兼用しても過度の負荷がかかることがない。
（４）小口隠し本体部６１および小口カバー片部６３は、互いに連続した硬質樹脂部８０によって構成され、硬質樹脂部８０のうち小口隠し本体部６１および小口カバー片部６３の連続部分よりも上方に軟質樹脂部７０が配置されている。
このため、小口隠し部材６０の硬質樹脂部８０の全体が連続しているので、当該硬質樹脂部８０が複数箇所に分けて構成される場合と比べ、小口隠し部材６０を容易に成形できる。
また、操作ユニット５１がある側にアタッチメント５６が倒れるように撓み、このアタッチメント５６によって小口隠し部材６０の小口カバー片部６３が前記倒れる方向に押し付けられても、軟質樹脂部７０よりも下方に位置する硬質樹脂部８０の前記連続部分には大きな力は加わらないので、当該連続部分に割れなどは生じ得ない。
さらに、硬質樹脂材料によって小口カバー片部６３を構成することで、当該小口カバー片部６３が軟質樹脂材料によって構成される場合と比べ、小口カバー片部６３の色の選択幅を広げることができ、窓枠２などと統一した色に容易に設定できる。
【００３０】
［変形例］
本発明は、以上の実施形態で説明した構成のものに限定されず、本発明の目的を達成できる範囲での変形例は、本発明に含まれる。
例えば、前記実施形態では、小口隠し本体部６１および小口カバー片部６３の連続部分に軟質樹脂部７０が配置されているが、これに代えてまたは加えて、小口カバー片部６３自体も軟質樹脂部７０によって構成されていてもよい。
また、小口隠し本体部６１および小口カバー片部６３の連続部分全体を軟質樹脂部７０によって構成し、この軟質樹脂部７０によって小口隠し本体部６１および小口カバー片部６３を構成する硬質樹脂部８０が分断されていてもよい。
【００３１】
前記実施形態では、小口隠し部材６０には溝形成部６２が形成され、この溝形成部６２によって形成された溝部に網戸４の係合部材４２１が配置されて当該網戸４の外れ止めを行っているが、これに限られない。例えば。窓枠２内に網戸４などの固定パネルを配置しない場合には、小口隠し部材６０の溝形成部６２の構成を省略してもよい。また、アタッチメント５６のレール５６５の構成も省略してもよい。
【００３２】
前記実施形態では、横すべり出し窓１を建具として説明したが、このほか、操作装置５によって開閉操作されるものであれば、縦すべり出し窓、突き出し窓、オーニング窓、内開き窓、外開き窓、内倒し窓、外倒し窓、回転窓などの各種の建具であってもよい。
【符号の説明】
【００３３】
１…横すべり出し窓（建具）、２…窓枠（枠体）、２１…上枠、２１１，５６５…レール、２２…下枠、２２１…突部、２３，２４…縦枠、２５１，５６２…見付け片部、２５２…突条、２５３…取付孔、３…障子（開閉パネル）、３１,４１…上框、３２，４２…下框、３３，３４，４３，４４…縦框、３５…面材、４…網戸（固定パネル）、４２１…係合部材、４５…網材、５…操作装置、５１…操作ユニット、５２…開閉機構、５３…ボールチェーン、５４…回転軸、５５…ブラケット、５６…アタッチメント、５６１…上片部、５６３…下片部、５６４…脚部、５６６…孔、５６７…溝部、５７…取付部材、６…すべり出しヒンジ、６０…小口隠し部材、６１…小口隠し本体部、６１１…上縁部、６１２…下縁部、６１３，６１４…縦縁部、６１Ａ…表面、６１Ｂ…裏面、６２…溝形成部、６２１…溝上縁、６２２…溝下縁、６２３…溝底縁、６３…小口カバー片部、６４…持上り抑制部、６４１…基片部、６４２…立上げ片部、６５…取付部、６５１…狭幅基部、６５２…広幅片部、７０…軟質樹脂部、８０…硬質樹脂部。
【図１】
2018159227.tif 000003
【図２】
2018159227.tif 000004
【図３】
2018159227.tif 000005
【図４】
2018159227.tif 000006
【図５】
2018159227.tif 000007
【図６】
2018159227.tif 000008
【図７】
2018159227.tif 000009